(57)【要約】【課題】毛穴汚れを効果的に押し出し、掻き取る、毛穴汚れ除去方法及び毛穴汚れ除去用器具を提供する。【解決手段】毛穴（Ａ）を十分に開かせ、かつ、毛穴（Ａ）の汚れを十分にふやかせた状態で、皮膚（Ｂ）に対して効果的に圧力を加えることのできる薄さ、横幅、硬さ及び形態の安定性を兼ね備え、さらに皮膚（Ｂ）を傷つけない手段を施した毛穴汚れ除去用器具（Ｃ）を、皮膚（Ｂ）の表面に対して斜めに強めに押し当て、更にそれをスライドさせることで、毛穴（Ａ）の汚れを押し出し、掻き取ることを特徴とする。【選択図】    図１
2006204841.tif 000002
【特許請求の範囲】
【請求項１】
毛穴（Ａ）を十分に開かせ、かつ、毛穴（Ａ）の汚れを十分にふやかした状態で、皮膚（Ｂ）に対して効果的に圧力を加えることのできる薄さ、横幅、硬さ及び形態の安定性を兼ね備え、さらに皮膚（Ｂ）を傷つけない手段を施した毛穴汚れ除去用器具（Ｃ）を、皮膚（Ｂ）の表面に対して斜めに強めに押し当て、更にそれをスライドさせることで、毛穴（Ａ）の汚れを押し出し、掻き取ることを特徴とする毛穴汚れの除去方法。
【請求項２】
請求項１の方法を実現するために、皮膚（Ｂ）に強めに押し当てても形態を安定的に保持することのできる本体（１ａ、１ｂ、１ｃ、１ｄ）を持ち、その両端の少なくともどちらか一方に、皮膚（Ｂ）に対して効果的に圧力を加えることのできる薄さ、横幅、硬さ及び形態の安定性を兼ね備えた接触部（２ａ、２ｂ、２ｃ、２ｄ）を設け、接触部（２ａ、２ｂ、２ｃ、２ｄ）と接触部（２ａ、２ｂ、２ｃ、２ｄ）に隣接する角（３ａ、３ｂ、３ｃ、３ｄ）には皮膚（Ｂ）を傷つけないような手段を施した毛穴汚れ除去用器具（Ｃ）。
【請求項３】
薄い平らな長方形の板状の本体（１ａ）を持ち、その両端には本体（１ａ）と一体となる接触部（２ａ）を設け、接触部（２ａ）は断面が丸く滑らかになるように成形し、更に四隅の角（３ａ）の尖った部分は落として、丸く滑らかに成形し、全体が圧力を効果的に加えられる程度の硬さと形態の安定性を備えた材質でできた請求項２に記載の毛穴汚れ除去用器具（Ｃ）。
【請求項４】
薄い平らな板状の本体（１ｂ）を持ち、その両端には本体（１ｂ）と一体となる接触部（２ｂ）を設け、接触部（２ｂ）は正面から見て完全に丸く滑らかに、かつ、断面も丸く滑らかになるように成形し、四隅の角（３ｂ）は接触部（２ｂ）の成形に伴い、尖った部分が落とされ、接触部（２ｂ）と一体となって丸く滑らかに成形され、全体が圧力を効果的に加えられる程度の硬さと形態の安定性を備えた材質でできた請求項２記載の毛穴汚れ除去用器具（Ｃ）。
【請求項５】
薄い長方形の板全体を、弧を描いて曲げたような形の本体（１ｃ）をもち、その両端には本体（１ｃ）と一体となる接触部（２ｃ）を設け、接触部（２ｃ）は断面が丸く滑らかになるように成形し、更に四隅の角（３ｃ）の尖った部分は落として、丸く滑らかに成形し、全体が圧力を効果的に加えられる程度の硬さと形態の安定性を備えた材質でできた請求項２に記載の毛穴汚れ除去用器具（Ｃ）。
【請求項６】
薄い板全体を、弧を描いて曲げたような形の本体（１ｄ）をもち、その両端には本体（１ｄ）と一体となる接触部（２ｄ）を設け、接触部（２ｄ）は正面から見て丸く滑らかに、かつ、断面も丸く滑らかになるように成形し、四隅の角（３ｄ）も尖った部分は落し丸く滑らかに成形し、全体が圧力を効果的に加えられる程度の硬さと形態の安定性を備えた材質でできた請求項２記載の毛穴汚れ除去用器具（Ｃ）。
【発明の詳細な説明】
【技術分野】
【０００１】  本発明は、鼻、眉間、額、目の下、頬など、顔の各部分の毛穴汚れを押し出して、掻き取る、毛穴汚れ除去の方法及びそのために用いる毛穴汚れ除去用器具に関するものである。
【背景技術】
【０００２】  従来の顔の毛穴の汚れ除去においては、シート状のパックを鼻全体に貼り付けて、パックの表面の薬剤に毛穴汚れを接着させた後、シートを剥すことで、毛穴汚れを除去するものである。
また、真空状態を作り出す吸引器具を用いて、毛穴の汚れを吸引して、取るものがある。
【発明の開示】
【発明が解決しようとする課題】
【０００３】  従来のシートタイプのものを用いる方法には以下の欠点があった。
イ．鼻には凹凸があるのでシートを完全に皮膚に密着させることは難しい。
ロ．そのためうまく密着できない状態で使用すると効果が発揮できない。
ハ．また、鼻の表面にシートを密着させて、キレイに貼るにはある程度の熟練が必要である。
ニ．薬剤が毛穴の汚れに接着するまでの１０分〜１５分程度の待ち時間が発生する。
ホ．そのため、１０〜１５分程経って、剥してからでないとシートをうまく貼れたのかどうかはわからないので、うまく貼れていない場合はシートだけでなく、１０〜１５分の時間をも無駄にしてしまう事になる。
ヘ．シートタイプのため、シートを貼り付けた範囲の毛穴汚れしか除去できない。
ト．使い捨てであり、資源の無駄遣いである。
また、吸引器具については高価であるという欠点があった。
本発明は以上の欠点を解決するためになされたものである。
【課題を解決するための手段】
【０００４】  本発明は、顔の毛穴を十分に開かせ、かつ、毛穴の汚れを十分にふやかした状態で、皮膚に対して効果的に圧力を加えることのできる薄さ、横幅、硬さ及び形態の安定性を兼ね備え、さらに皮膚を傷つけない手段を施した毛穴汚れ除去用器具を、皮膚に対して斜めに強めに押し当て、更にそれをスライドさせることで、毛穴の汚れを押し出し、掻き取るものである。
【発明の効果】
【０００５】  本発明を使用することで、以下の効果が得られる。
イ．  鼻に限らず、顔の凹凸に合わせて、毛穴汚れ除去用器具を手で動かせば良いので、操作は簡単で、使用する箇所を問わない。
ロ．  そのため、顔の凹凸に関係なく、毛穴の汚れを効果的に除去することができる。
ハ．  皮膚に対して斜めに毛穴汚れ除去用器具を強めに押し当てそれをスライドさせればよいだけなので、誰でも簡単に使用することができ、熟練は不要である。
ニ．  毛穴に対して直接物理的な圧力を加えて、汚れを押し出すので、待ち時間は発生しない。
ホ．  そのため、その場で効果が目に見えてわかり、使いながらその効果を確認できる。
ヘ．  汚れを除去したい箇所に合わせて毛穴汚れ除去用器具を手で動かせばよいので、範囲は限定されず、鼻、眉間、額、目の下、頬などの毛穴汚れを除去したい箇所に対して斑なく満遍なく対応することができる。
ト．  毛穴汚れ除去用器具に掻きとられた毛穴の汚れは洗えば落ちるので、使い捨てでなく、何度も清潔な状態で使用が可能である。
チ．  この方法に使用する毛穴汚れ除去用器具は、構造も非常にシンプルなため、安価に製作することが可能である。
リ．  使いながら、その効果を確認でき、またその効果が大きいので、ストレスの解消になる。
【発明を実施するための最良の形態】
【０００６】  以下に、発明の実施の形態を、図を参照しながら説明する。
まず、図１を参照して、毛穴汚れ除去方法について説明する。
お湯でよく濡らしたり、湯船に十分浸かるなどして、顔の毛穴（Ａ）を十分に開かせ、かつ毛穴（Ａ）の汚れを十分にふやかした状態にする。皮膚（Ｂ）に対して効果的に圧力を加えることのできる薄さ、横幅、硬さ及び形態の安定性を兼ね備え、さらに皮膚（Ｂ）を傷つけない手段を施した毛穴汚れ除去用器具（Ｃ）を鼻、眉間、額、目の下、頬など顔の各部分の皮膚（Ｂ）に対して斜めに強めに押し当てたままスライドさせる。
斜めに加えられた圧力（ｘ）はベクトルであらわすと横方向の圧力（ｙ）と縦方向の圧力（ｚ）に分解されるが、その横方向の圧力（ｙ）が毛穴（Ａ）を横から押し潰すことになる。また、毛穴汚れ除去用器具（Ｃ）をスライドさせることにより、横方向の圧力（ｙ）はさらに加算される。
そして、さらに毛穴汚れ除去用器具（Ｃ）をスライドさせることで、例えば、皮膚（Ｂ）上のＤ点からＥ点にスライドさせた場合、毛穴（Ａ）に対する圧力の作用点がｄ点からｅ点へと移動することになり、毛穴（Ａ）に加えられた横方向の圧力（ｙ）は、毛穴（Ａ）を押し潰しながら下から上へと作用して、毛穴（Ａ）の汚れを効果的に押し出すことになる。ちょうど、歯磨きや絵の具のチューブを下から上へと押し潰しながら、中身を搾り出すように。そして、押し出された汚れは皮膚（Ｂ）の上をスライドしている毛穴汚れ除去用器具（Ｃ）に掻き取られることになる。
また、縦方向の圧力（ｚ）が一点に集中して垂直方向に作用するのに対し、横方向の圧力（ｙ）は、水平方向に伝わるため、毛穴汚れ除去用器具（Ｃ）が使用する方向に対して、幅を持っていれば、その幅に応じて、横方向の圧力（ｙ）は広く伝わることになる。そして、その毛穴汚れ除去用器具（Ｃ）をスライドさせることにより、更に力の伝わる範囲は広がっていく。そのようにして、広範囲の毛穴（Ａ）の汚れを押し出し、同時に毛穴汚れ除去用器具（Ｃ）は薄く、また皮膚（Ｂ）の上をスライドしているので毛穴（Ａ）から押し出された汚れは毛穴汚れ除去用器具（Ｃ）によって掻き取られる。
毛穴汚れ除去用器具（Ｃ）は黒や青や赤などの濃色で着色して、除去した毛穴汚れを目立つようにすることで、効果を実感できるようにしてもよい。
毛穴汚れ除去用器具（Ｃ）によって掻き取られた汚れは水やお湯で洗い流すことにより、何度も清潔な状態で再利用が可能となる。また、毛穴汚れ除去用器具（Ｃ）は抗菌加工を施しても良い。【０００７】  次に、図２〜９を参照して、毛穴汚れ除去用器具（Ｃ）について説明する。
図２に示すように薄い長方形の板状の本体（１ａ）をもち、その両端には本体（１ａ）と一体となる接触部（２ａ）を設ける。四隅の角（３ａ）は落として、皮膚（Ｂ）を傷つけないように丸く滑らかに成形する。図３が示すように接触部（２ａ）も皮膚（Ｂ）を傷つけないように断面が丸く滑らかになるように成形する。このタイプの毛穴汚れ除去用器具（Ｃ）に使用する材質は圧力を効果的に加えることのできる硬さ及び形態の安定性を兼ね備えたものとする。圧力を効果的に加えることのできる硬さ及び形態の安定性とは皮膚（Ｂ）に強く押し付けても折れ曲がったり、変形したりして、圧力を効果的に伝えることができなくなることのないことを言う。具体的に言えば、金属、木材、竹材、合成樹脂のうちシリコンゴムのような軟質でないものなどが考えられる。【０００８】  また、図４に示すように、薄い平らな板状の本体（１ｂ）を持ち、その両端には本体（１ｂ）と一体となる接触部（２ｂ）を設ける。接触部（２ｂ）は正面から見て完全に丸く滑らかになるように成形し、かつ、図５が示すように皮膚（Ｂ）を傷つけないように断面も丸く滑らかになるように成形する。四隅の角（３ｂ）は接触部（２ｂ）の成形に伴い、尖った部分が落とされ、接触部（２ｂ）と一体となって丸く滑らかに成形され、皮膚（Ｂ）を傷つけることがないようになる。このタイプの毛穴汚れ除去用器具（Ｃ）に使用する材質は図２のタイプのものと同様とする。
このタイプの毛穴汚れ除去用器具（Ｃ）は接触部（２ｂ）を正面から見て丸く成形しているため、顔の凹んだ部分に対しても効果的に使用できるという利点がある。【０００９】  また、図６に示すように、薄い長方形の板全体を、弧を描いて曲げたような形の本体（１ｃ）を持ち、その両端には本体（１ｃ）と一体となる接触部（２ｃ）を設ける。四隅の角（３ｃ）は落として、皮膚（Ｂ）を傷つけないように丸く滑らかに成形する。図７が示すように接触部（２ｃ）も皮膚（Ｂ）を傷つけないように断面が丸く滑らかになるように成形する。このタイプの毛穴汚れ除去用器具（Ｃ）に使用する材質は図２のタイプのものと同様とする。
このタイプの毛穴汚れ除去用器具（Ｃ）は、本体（１ｃ）が、弧を描くように成形されているので、以下の効果が得られる。
イ．  指にフィットし、持ちやすい。
ロ．  ポリエチレンのような比較的やわらかく、強めに皮膚（Ｂ）に押し当てると折れ曲がってしまうような材質に強度を加え、使用可能な材質として扱うことができるようにする。
ハ．  通常の使用状態では凸面を皮膚（Ｂ）に押し付けて、使用するため、平面状のものより、深く皮膚（Ｂ）を凹ませるため、押し出された汚れを掻き取りやすい。
ニ．  また、側面の両端が反り上がっているため、掻き取った汚れをはみ出させず、保持できる。
ホ．  逆に持ち、凹面を下にして使用することで、鼻の稜線にフィットさせることができる。【００１０】  また、図８に示すように、薄い板全体を、弧を描いて曲げたような形の本体（１ｄ）をもち、その両端には本体（１ｄ）と一体となる接触部（２ｄ）を設ける。接触部（２ｄ）は正面から見て丸く滑らかに成形し、かつ、図９が示すように、皮膚（Ｂ）を傷つけないよう断面も丸く滑らかになるように成形する。四隅の角（３ｄ）も皮膚（Ｂ）を傷つけないように尖った部分を落とし、丸く滑らかに成形する。このタイプの毛穴汚れ除去用器具（Ｃ）に使用する材質は図２のタイプのものと同様とする。
このタイプの毛穴汚れ除去用器具（Ｃ）は図４と図６のタイプのものとをあわせた効果を持つ。【００１１】  毛穴汚れ除去用器具（Ｃ）は本体（１ａ、１ｂ、１ｃ、１ｄ）を手に持ち、本体（１ａ、１ｂ、１ｃ、１ｄ）が斜めになるようにして接触部（２ａ、２ｂ、２ｃ、２ｄ）を皮膚（Ｂ）に強めに押し当て、そのままの状態で、皮膚（Ｂ）の上をスライドさせて使用する。
【産業上の利用可能性】
【００１２】  衛生や美容における毛穴の汚れ除去という分野において従来のものとは異なる全く新しいカテゴリに属する方法と用具を提供する。
【図面の簡単な説明】
【００１３】
【図１】本発明の実施形態である毛穴汚れ除去方法を図解した原理図
【図２】同毛穴汚れ除去用器具の斜視図
【図３】同毛穴汚れ除去用器具の図２におけるＩ−Ｉ線断面図
【図４】同毛穴汚れ除去用器具の斜視図
【図５】同毛穴汚れ除去用器具の図４におけるＩＩ−ＩＩ線断面図
【図６】同毛穴汚れ除去用器具の斜視図
【図７】同毛穴汚れ除去用器具の図６におけるＩＩＩ−ＩＩＩ線断面図
【図８】同毛穴汚れ除去用器具の斜視図
【図９】同毛穴汚れ除去用器具の図８におけるＩＶ−ＩＶ線断面図
【符号の説明】
【００１４】Ａ・・・・・・・・・毛穴
Ｂ・・・・・・・・・皮膚
Ｃ・・・・・・・・・毛穴汚れ除去用器具
Ｄ、Ｅ・・・・・・・皮膚に対する圧力の作用点
ｄ、ｅ・・・・・・・毛穴に対する圧力の作用点
ｖ・・・・・・・・・毛穴汚れ除去用器具をスライドさせる方向を表す矢印
ｗ・・・・・・・・・毛穴に対する圧力の作用点が移動する方向を表す矢印
ｘ・・・・・・・・・斜め方向の圧力を表すベクトル
ｙ・・・・・・・・・横方向の圧力を表すベクトル
ｚ・・・・・・・・・縦方向の圧力を表すベクトル
１ａ、１ｂ、１ｃ、１ｄ・・・・・・・・本体
２ａ、２ｂ、２ｃ、２ｄ・・・・・・・・接触部
３ａ、３ｂ、３ｃ、３ｄ・・・・・・・・角
【図１】
2006204841.tif 000003
【図２】
2006204841.tif 000004
【図３】
2006204841.tif 000005
【図４】
2006204841.tif 000006
【図５】
2006204841.tif 000007
【図６】
2006204841.tif 000008
【図７】
2006204841.tif 000009
【図８】
2006204841.tif 000010
【図９】
2006204841.tif 000011